【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
遊技球を連続発射して遊技領域に発射可能な遊技球発射装置と、
遊技機前面側に固定される固定ベース部と、
前記固定ベース部に回動可能に軸支されると共に回動可能範囲における一端側の回動原点に向けて付勢され、前記遊技球発射装置の発射強度を回動角に応じて変更可能な操作部と、を備え、
前記固定ベース部に前記遊技球発射装置による遊技球の発射を可能にするオン状態と前記遊技球発射装置による遊技球の発射動作を停止するオフ状態に変位可能な１つの切替スイッチを設けた弾球遊技機において、
前記操作部は前記固定ベース部に対して回動軸方向に直動可能に構成し、
前記操作部の直動可能範囲の一端側を前記操作部が任意の回動角に変更可能な回動自在位置とする一方、前記直動可能範囲の他端側を前記操作部が回動不能に固定される回動固定位置とする操作部回動固定機構を設け、
前記操作部は、前記操作部を任意の回動角から前記回動原点に移動したときに前記切替スイッチに当接又は摺接することによって前記切替スイッチを前記オフ状態に変位させるスイッチ回動切替部と、前記操作部を前記回動自在位置から前記回動固定位置に移動したときに前記切替スイッチに当接又は摺接することによって前記切替スイッチを前記オフ状態に変位させるスイッチ直動切替部とを備え、
前記スイッチ回動切替部は前記固定ベース部に向かって突出した回動切替突出壁により構成され、
前記切替スイッチには、前記回動切替突出壁の回動軌跡上で前記操作部側に向かって突出する回動突出壁が形成され、
前記操作部を任意の回動角から前記回動原点に移動したときに、前記回動切替突出壁が前記回動突出壁に当接又は摺接することによって前記切替スイッチが前記オフ状態に変位するように構成し、
前記スイッチ直動切替部は、前記固定ベース部に向かって突出しかつ前記操作部の回動方向に沿った円形又は円弧状をなした直動切替円弧突壁により構成され、
前記切替スイッチには、前記回動突出壁と異なる位置で前記操作部側に向かって突出した直動被摺動壁が形成され、
前記操作部を前記回動自在位置から前記回動固定位置に移動したときに、前記直動切替円弧突壁が前記直動被摺動壁に当接又は摺接することによって前記切替スイッチが前記オフ状態に変位することで、前記回動原点への回動と前記回動固定位置への直動という前記操作部の異なる動きに対して１つの前記切替スイッチを変位可能に構成したことを特徴とする弾球遊技機。
【請求項２】
前記切替スイッチに形成されて前記固定ベース部の外周面から側方に突出し、前記操作部が前記回動自在位置に配置されかつ前記回動原点から離れた任意の回動角で、前記切替スイッチを前記オフ状態に変位させるためのレバー操作突部が設けられたことを特徴とする請求項１に記載の弾球遊技機。
【請求項３】
前記操作部に接触検知部を設け、
前記切替スイッチがオン状態でありかつ前記操作部への人体の接触を前記接触検知部により検知していることを条件にして、前記遊技球発射装置による遊技球の発射を可能にすることを特徴とする請求項１又は２に記載の弾球遊技機。
【手続補正２】
【補正対象書類名】明細書
【補正対象項目名】０００７
【補正方法】変更
【補正の内容】
【０００７】
上記目的を達成するためになされた請求項１の発明に係る弾球遊技機は、遊技球を連続発射して遊技領域に発射可能な遊技球発射装置と、遊技機前面側に固定される固定ベース部と、固定ベース部に回動可能に軸支されると共に回動可能範囲における一端側の回動原点に向けて付勢され、遊技球発射装置の発射強度を回動角に応じて変更可能な操作部と、を備え、固定ベース部に遊技球発射装置による遊技球の発射を可能にするオン状態と遊技球発射装置による遊技球の発射動作を停止するオフ状態に変位可能な１つの切替スイッチを設けた弾球遊技機において、操作部は固定ベース部に対して回動軸方向に直動可能に構成し、操作部の直動可能範囲の一端側を操作部が任意の回動角に変更可能な回動自在位置とする一方、直動可能範囲の他端側を操作部が回動不能に固定される回動固定位置とする操作部回動固定機構を設け、操作部は、操作部を任意の回動角から回動原点に移動したときに切替スイッチに当接又は摺接することによって切替スイッチをオフ状態に変位させるスイッチ回動切替部と、操作部を回動自在位置から回動固定位置に移動したときに切替スイッチに当接又は摺接することによって切替スイッチをオフ状態に変位させるスイッチ直動切替部とを備え、スイッチ回動切替部は固定ベース部に向かって突出した回動切替突出壁により構成され、切替スイッチには、回動切替突出壁の回動軌跡上で操作部側に向かって突出する回動突出壁が形成され、操作部を任意の回動角から回動原点に移動したときに、回動切替突出壁が回動突出壁に当接又は摺接することによって切替スイッチがオフ状態に変位するように構成し、スイッチ直動切替部は、固定ベース部に向かって突出しかつ操作部の回動方向に沿った円形又は円弧状をなした直動切替円弧突壁により構成され、切替スイッチには、回動突出壁と異なる位置で操作部側に向かって突出した直動被摺動壁が形成され、操作部を回動自在位置から回動固定位置に移動したときに、直動切替円弧突壁が直動被摺動壁に当接又は摺接することによって切替スイッチがオフ状態に変位することで、回動原点への回動と回動固定位置への直動という操作部の異なる動きに対して１つの切替スイッチを変位可能に構成したところに特徴を有する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項２の発明は、請求項１に記載の弾球遊技機において、切替スイッチに形成されて固定ベース部の外周面から側方に突出し、操作部が回動自在位置に配置されかつ回動原点から離れた任意の回動角で、切替スイッチをオフ状態に変位させるためのレバー操作突部が設けられたところに特徴を有する。
【手続補正７】
【補正対象書類名】明細書
【補正対象項目名】００１２
【補正方法】変更
【補正の内容】
【００１２】
請求項３の発明は、請求項１又は２に記載の弾球遊技機において、操作部に接触検知部を設け、切替スイッチがオン状態でありかつ操作部への人体の接触を接触検知部により検知していることを条件にして、遊技球発射装置による遊技球の発射を可能にするところに特徴を有する。
【手続補正８】
【補正対象書類名】明細書
【補正対象項目名】００１３
【補正方法】変更
【補正の内容】
【００１３】
［請求項１の発明］
上記のように構成した請求項１に係る発明によれば、遊技球発射装置は切替スイッチがオン状態になったときに遊技球の発射が可能となる一方、切替スイッチがオフ状態になったときに遊技球の発射動作を停止する。また、操作部は回動軸方向に直動可能で、操作部が直動可能範囲の一端側の回動自在位置にあって、任意の回動角から回動原点に移動したときは、スイッチ回動切替部が切替スイッチに当接又は摺接して切替スイッチをオフ状態に変位させる。これにより、操作部が操作されておらず回動原点にあるときは、切替スイッチがオフ状態に変位され、確実に遊技球の発射動作を停止することが可能となる。一方、操作部を直動可能範囲の一端側の回動自在位置から他端側の回動固定位置に移動させると、操作部は操作部回動固定機構により回動不能に固定されると共に、スイッチ直動切替部が切替スイッチに当接又は摺接して切替スイッチをオフ状態に変位させる。これにより、操作部が固定され回動角が固定されたときは、切替スイッチがオフ状態に変位されて遊技球発射装置による遊技球の発射動作が停止される。このように、本発明によれば、回動角の固定時及び操作部が操作されていない時に共通のスイッチを用いて遊技球の発射を停止することが可能となるので、固定されたときに検知する発射停止スイッチと回動操作していない回動原点位置の状態を検知する発射停止スイッチを別々に設けるよりも、内部構造の制約を抑制すると共にコストを低く抑えることができる。
【手続補正９】
【補正対象書類名】明細書
【補正対象項目名】００１４
【補正方法】変更
【補正の内容】
【００１４】
また、本発明によれば操作部には、固定ベース部に向かって突出した回動切替突出壁によって構成されたスイッチ回動切替部が構成備えられている。一方、切替スイッチは、回動切替突出壁の回動軌跡上で操作部側に向かって突出する回動突出壁を備えている。そして、操作部を任意の回動角から回動原点位置に移動したときには、回動切替突出壁が回動突出壁に当接又は摺接することによって切替スイッチがオフ状態に変位して遊技球の発射動作を停止する。
【手続補正１０】
【補正対象書類名】明細書
【補正対象項目名】００１５
【補正方法】変更
【補正の内容】
【００１５】
また、本発明によれば、操作部には、固定ベース部に向かって突出し、操作部の回動方向に沿った円形又は円弧状をなした直動切替円弧壁によって構成されたスイッチ直動切替部が備えられている。一方、回動突出壁と異なる位置で操作部側に向かって突出する直動被摺動壁とを備えている。そして、操作部を回動自在位置から回動固定位置に移動したときには、直動切替円弧突壁が直動被摺動壁に当接又は摺接することによって切替スイッチがオフ状態に変位して遊技球の発射動作を停止する。
さらに、操作部を任意の回動角から回動原点位置に移動したときに、回動切替突出壁が回動突出壁に当接又は摺接することによって切替スイッチがオフ状態に変位する一方、操作部を回動自在位置から回動固定位置に移動したときに、直動切替円弧突壁が直動被摺動壁に当接又は摺接することによって切替スイッチがオフ状態に変位するように構成することで、回動原点への回動と回動固定位置への直動という操作部の異なる動きに対して１つの切替スイッチを変位可能にすることが可能となる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
［請求項２の発明］
請求項２に係る発明によれば、切替スイッチにレバー操作突部が固定ベース部の外周面から側方に突出している。操作部が回動自在位置に配置されかつ回動原点から離れた任意の回動角となったときに、レバー操作突部を操作すると切替スイッチをオフ状態に変位し遊技球発射装置を停止することができる。これにより、遊技者は操作部の回動角を手で保持したまま遊技球の発射を停止することができる。
【手続補正１３】
【補正対象書類名】明細書
【補正対象項目名】００１８
【補正方法】変更
【補正の内容】
【００１８】
［請求項３の発明］
請求項３の発明によれば、切替スイッチがオン状態でありかつ操作部への人体の接触を接触検知部により検知していることを条件にして、遊技球発射装置によって遊技球の発射が可能となる。これにより、不正な手段により操作部を操作部回動固定機構によらないで固定したとしても、操作部への人体への接触を接触検知部が検知していなければ遊技球の発射が停止される。
【手続補正１４】
【補正対象書類名】明細書
【補正対象項目名】００７７
【補正方法】変更
【補正の内容】
【００７７】
ところで、固定ベース本体９１のベース内空間９１Ａには、切替スイッチ１１０が収容されている。切替スイッチ１１０は、発射制御基板６０と電気的に接続された第１切替スイッチ構成部材１００と、ベース内空間９１Ａ内で回動することにより第１切替スイッチ構成部材１００との相対位置が変化する第２切替スイッチ構成部材１２０とから構成されている。以下、第１切替スイッチ構成部材１００及び第２切替スイッチ構成部材１２０について説明する。
【手続補正１５】
【補正対象書類名】明細書
【補正対象項目名】０１０４
【補正方法】変更
【補正の内容】
【０１０４】
（８）前記実施形態では、回動切替突出壁８２Ｌの内部壁８２からの突出量は直動切替円弧突壁８２Ｓよりも大きい構成とすると共に、直動被摺動壁１２５のスイッチ壁部１２０Ａからの突出量は回動被摺接部１２４の突出量よりも短い構成になっているが、操作部２８を回動操作中に第２切替スイッチ構成部材１２０と直動切替円弧壁８２Ｓが接触しないようになっていれば少なくとも何れか一方の構成にしていればよいとする。
【手続補正１６】
【補正対象書類名】明細書
【補正対象項目名】０１０５
【補正方法】変更
【補正の内容】
【０１０５】
２８    操作ノブ（操作部）
２８Ｋ    固定ベース部
６０    発射制御基板
６１    遊技球発射装置
８２Ｌ    回動切替突出壁（スイッチ回動切替部）
８２Ｓ    直動切替円弧突壁（スイッチ直動切替部）
８６    回動シャフト
９１Ｊ    スイッチ回動軸
１００    第１切替スイッチ構成部材
１１０    切替スイッチ
１２０    第２切替スイッチ構成部材
１２３    レバー操作突部
１２４    回動突出壁
１２５    直動被摺動壁